(57)【要約】      （修正有）【課題】必要な時に組んで使用でき、製造に際して組み立てが不要で製造コストを抑えられ、嵩張らない形状にできる袋スタンドを提供する。【解決手段】平面視コ字状をなす傾斜枠１２の基端部２１ａ間に設けられ、これらを連結するとともに傾斜枠１２を傾斜状態にしたときに接地面に接地可能な方形板状の接地板１４と、傾斜枠１２を傾斜状態にしたときに下端部が接地板１４に係止して傾斜枠１２の傾斜状態を支える支持枠１６と、傾斜枠１２の上端部と対向して傾斜枠１２の上端部と共に袋の上端開口部を開口状態で保持する枠状の開口補助枠１３と、開口補助枠１３の傾斜枠１２に対する角度を保持する角度保持部１７が、ヒンジ１５、７３を介して合成樹脂により一体形成された袋スタンド１１。【選択図】図１
0003184243.tif 000002
【実用新案登録請求の範囲】
【請求項１】
間隔をあけて対向する棒状をなす２本の支持部の先端部を棒状の連結部で連結した枠状で、前記支持部の基端部を軸にして接地面に平行な水平状態から引き起こした傾斜状態で支持される傾斜枠と、該傾斜枠の上端部と対向して傾斜枠の上端部と共に袋の上端開口部を開口状態で保持する枠状の開口補助枠とを備えた袋スタンドであって、
前記傾斜枠の支持部の基端部間でこれらを連結するとともに傾斜枠を傾斜状態にしたときに接地面に接地可能な接地板と、
前記傾斜枠を傾斜状態にしたときに下端部が前記接地板に係止して前記傾斜枠の傾斜状態を支える支持枠と、
前記開口補助枠が、
ヒンジを介して合成樹脂により一体形成され、
前記傾斜枠と前記開口補助枠との間に、開口補助枠の傾斜枠に対する角度を保持する角度保持部が設けられた
袋スタンド。
【請求項２】
前記傾斜枠の前記支持部における長手方向の中間部に、基端側の部分を幅方向の内側にずらす段違い部が形成され、
該段違い部における傾斜枠の先端側の面に、前記支持枠の一部が、傾斜枠の段違い部よりも基端側の部分と一直線上に並んだ状態で形成され、
前記段違い部における傾斜枠の基端側の面に、前記開口補助枠の一部が、傾斜枠の段違い部よりも先端側の部分と一直線上に並んだ状態で形成された
請求項１に記載の袋スタンド。
【請求項３】
前記角度保持部がヒンジを介して合成樹脂により一体形成された
請求項１または請求項２に記載の袋スタンド。
【請求項４】
前記接地板が保持する袋の底を受ける大きさである
請求項１から請求項３のうちいずれか一項に記載の袋スタンド。
【請求項５】
前記接地板が、上方に起立する壁部を全周に有する皿状である
請求項１から請求項４のうちいずれか一項に記載の袋スタンド。または請求項２に記載の袋スタンド。
【請求項６】
前記接地板が厚み方向に貫通する水抜き穴を有する
請求項１から請求項５のうちいずれか一項に記載の袋スタンド。
【請求項７】
前記角度保持部が角度調節可能である
請求項１から請求項６うちいずれか一項に記載の袋スタンド。
【請求項８】
前記傾斜枠と前記開口補助枠の先端部に、先端方向に突出して袋の取っ手を係止する、それぞれ４本以上の係止突起が隙間をあけて形成された
請求項１から請求項７のうちいずれか一項に記載の袋スタンド。
【請求項９】
前記傾斜枠及び／又は前記開口補助枠の先端部の幅方向の中間位置に、吊り下げを可能にする貫通穴を有する
請求項１から請求項８のうちいずれか一項に記載の袋スタンド。
【請求項１０】
間隔をあけて対向する棒状をなす２本の支持部の先端部を棒状の連結部で連結した枠状で、前記支持部の基端部を軸にして接地面に平行な水平状態から引き起こした傾斜状態で支持される傾斜枠と、該傾斜枠の上端部と対向して傾斜枠の上端部と共に袋の上端開口部を開口状態で保持する枠状の開口補助枠とを備えた袋スタンドであって、
前記傾斜枠の支持部の基端部間には、これらを連結するとともに傾斜枠を傾斜状態にしたときに接地面に接地可能な接地板と、
前記傾斜枠を傾斜状態にしたときに下端部が前記接地板に係止して前記傾斜枠の傾斜状態を支える支持枠と、
前記開口補助枠が、
ヒンジを介して合成樹脂により一体形成され、
前記接地板が、保持する袋の底を受ける大きさで、上方に起立する壁部を全周に有する皿状であるとともに、
前記傾斜枠の前記支持部における長手方向の中間部に、基端側の部分を幅方向の内側にずらす段違い部が形成され、
該段違い部における傾斜枠の先端側の面に、前記支持部が、傾斜枠の段違い部よりも基端側の部分と一直線上に並んだ状態で形成され、
前記段違い部における傾斜枠の基端側の面に、前記開口補助枠が、傾斜枠の段違い部よりも先端側の部分と一直線上に並んだ状態で形成され、
前記傾斜枠と前記開口補助枠との間に、開口補助枠の傾斜枠に対する角度を保持する角度保持部がヒンジを介して合成樹脂により一体形成され、
前記傾斜枠及び／又は前記開口補助枠の先端部の幅方向の中間位置に、吊り下げを可能にする貫通穴を有する
袋スタンド。
【考案の詳細な説明】
【技術分野】
【０００１】
この考案は、いわゆるコンビニ袋やレジ袋のような包装袋を利用するときに用いられるような袋スタンドに関する。
【背景技術】
【０００２】
商品を購入した際に包装に用いられた包装袋は、商品の持ち帰りに使用されたあと、物品運搬用の袋やごみ袋などとして広く再利用されている。しかし袋は柔軟であって自立しないので、物品を入れるときに、入れる物品の種類や、入れ方、入れる頻度等によっては不便なことがあった。
【０００３】
たとえば包装袋をごみ袋として利用する場合には、ごみ箱に入れてその内部で広げたり、開口状態で吊り下げたりする必要がある。
【０００４】
しかし、一定の立体形状をなすごみ箱では、使用しないときに邪魔になることがあるうえに、持ち運びには向かない。また包装袋を開口状態で吊り下げることは、何もない環境下では困難で、何とか吊り下げたとしても見た目がよくない。このため、下記特許文献１に開示されているようなごみ袋スタンドが提案されている。
【０００５】
特許文献１のごみ袋スタンドは、線材からなるもので、コ字状のベースフレームの開口側の一端に、同じくコ字状をなす主保持フレームの開口側の一端を枢着し、この主保持フレームの長手方向の中間部に同じくコ字状の補助フレームの開口側の一端を枢着した構造である。各フレーム間には、フレーム間の角度が所定の角度以上に開かないようにする止め機構が形成されている。またベースフレームと補助フレームが主保持フレームの内側に収まるように、各フレームの大きさが設定されている。
【０００６】
このような構成であるので、使用に際してはごみ袋の口を広げた状態にして主保持フレームと補助フレームの上端部にひっかけて、ごみ袋を吊り下げた状態にする。使用しないときには簡単に折りたたんで板状にすることができる。
【先行技術文献】
【特許文献】
【０００７】
【特許文献１】登録実用新案第３０６８４３１号公報
【考案の概要】
【考案が解決しようとする課題】
【０００８】
しかし、特許文献１のごみ袋スタンドは、複数の部材を組み立てて構成するものである。このため、製造に手間がかかり、コストもかかる。
【０００９】
そのうえ、折りたたむと一枚の板のような形状になるというものの、部材間の角度が一定以上に開くのを阻止する止め機構が主保持フレームの両面から飛び出しているので、完全に一枚の板のような形状にはならない。つまり、線材で構成されており折り畳み可能であるが、意外と嵩張る形状であって、積み重ねや収納で場所をとる。
【００１０】
そこで、この考案は、製造に際して組み立てが不要で製造コストを抑えられるうえに、嵩張らない形状にできるようにすることを主な目的とする。
【課題を解決するための手段】
【００１１】
そのための手段は、間隔をあけて対向する棒状をなす２本の支持部の先端部を棒状の連結部で連結した枠状で、前記支持部の基端部を軸にして接地面に平行な水平状態から引き起こした傾斜状態で支持される傾斜枠と、該傾斜枠の上端部と対向して傾斜枠の上端部と共に袋の上端開口部を開口状態で保持する枠状の開口補助枠とを備えた袋スタンドであって、前記傾斜枠の支持部の基端部間でこれらを連結するとともに傾斜枠を傾斜状態にしたときに接地面に接地可能な接地板と、前記傾斜枠を傾斜状態にしたときに下端部が前記接地板に係止して前記傾斜枠の傾斜状態を支える支持枠と、前記開口補助枠が、ヒンジを介して合成樹脂により一体形成され、前記傾斜枠と前記開口補助枠との間に、開口補助枠の傾斜枠に対する角度を保持する角度保持部が設けられた袋スタンドである。
【００１２】
この構成では、接地板と支持枠が傾斜枠を支え、傾斜枠が角度保持部を介して開口補助枠を支える。袋は傾斜枠と開口補助枠によって開口状態で支えられ、接地板が袋の底を支える。傾斜枠と接地板と支持枠と開口補助枠は一つの部材からなり、組み立てが不要である。傾斜枠等を引き起こす前は板状で、嵩張ることもない。
【００１３】
前記袋スタンドは、前記傾斜枠の前記支持部における長手方向の中間部に、基端側の部分を幅方向の内側にずらす段違い部が形成され、該段違い部における傾斜枠の先端側の面に、前記支持枠の一部が、傾斜枠の段違い部よりも基端側の部分と一直線上に並んだ状態で形成され、前記段違い部における傾斜枠の基端側の面に、前記開口補助枠の一部が、傾斜枠の段違い部よりも先端側の部分と一直線上に並んだ状態で形成されたものであってもよい。
【００１４】
この構成では、段違い部が支持枠や開口補助枠を形成する際の幅方向の長大化を抑制する。このため、形状はコンパクトで、効率よく製造できる。
【００１５】
前記角度保持部は、ヒンジを介して合成樹脂により一体形成されるとよい。  
ヒンジが角度保持部を一体化しているため、使用に際しても別体の部材が生じることはなく、使用するための変形が容易で、部材紛失のおそれもない。
【００１６】
前記接地板は、保持する袋の底を受ける大きさであるとよい。  
接地板が袋の底を受けることができるので、たとえば袋に穴が開いたりした場合でも、接地部分を保護できる。
【００１７】
前記接地板は、上方に起立する壁部を全周に有する皿状であるとよい。  
壁部が液体等の流出を防止できるので、たとえば台所等で調理に際して生じるごみのように水分を含んだものを袋に入れたときでも、水分等の拡散を抑制できる。
【００１８】
前記接地板が厚み方向に貫通する水抜き穴を有するものであってもよい。  
水抜き穴は水分等を排出するので、用途によっては便利である。また水抜き穴は成形材料を少なくするので、低コスト化を図れるとともに、水抜き穴の形状によっては意匠効果も発揮する。
【００１９】
前記角度保持部は角度調節可能であるとよい。  
開口補助枠の角度を適宜変更することで、袋の開口部の大きさを変えることができるので、目的に応じて使用しやすい状態を作出できる。
【００２０】
前記傾斜枠と前記開口補助枠の先端部に、先端方向に突出して袋の取っ手を係止する、それぞれ４本以上の係止突起が隙間をあけて形成された袋スタンドであってもよい。  
この構成では、４本以上の係止突起によって、袋の取っ手が引っかかる部分が増える。このため、取っ手の大きさが異なる複数種類の袋の取付けができ、利用範囲を広げることができる。
【００２１】
前記傾斜枠及び／又は前記開口補助枠の先端部の幅方向の中間位置に、吊り下げを可能にする貫通穴を有する袋スタンドであってもよい。  
貫通穴が吊り下げ等に利用できるので、保管に便利である。
【考案の効果】
【００２２】
この考案によれば、合成樹脂で一体成形されるため、組み立てが不要で製造コストを抑えられる。また線材からなる複数の部材を回転可能に連結して製造する場合とは異なって角度保持のための部分を突出させる必要がないので、真に板状の嵩張らない形状に形成できる。
【図面の簡単な説明】
【００２３】
【図１】袋スタンドの斜視図。
【図２】使用状態に変形した袋スタンドの斜視図。
【図３】袋スタンドの平面図。
【図４】他の例に係る係止構造の平面図。
【図５】他の例に係る角度保持部の平面図。
【図６】図５の角度保持部の作用状態の正面図。
【図７】他の例に係る袋スタンドの斜視図。
【考案を実施するための形態】
【００２４】
この考案を実施するための一形態を、以下図面を用いて説明する。  
図１は、袋スタンド１１の斜視図であり、この図に示すように袋スタンド１１は、すべての部分が合成樹脂の一体成形で形成された略長方形板状である。
【００２５】
この袋スタンド１１では、図１に仮想線で示したように、一部の部位を引き起こして変形させると、図２に示したように袋Ｘの上端開口部を開いた状態で保持できるようになる。すなわち、袋スタンド１１は、傾斜状態で支持される傾斜枠１２と、この傾斜枠１２の上端と対向して傾斜枠１２の上端部と共に袋Ｘの上端開口部を開口状態で保持する枠状の開口補助枠１３とを備えている。
【００２６】
前記傾斜枠１２は、間隔をあけて対向する棒状をなす２本の支持部２１の先端部を棒状の連結部２２で連結した枠状である。つまり、傾斜枠１２は平面視略コ字状である。剛性を高めるため、傾斜枠１２は縦断面形状がＨ字形である。
【００２７】
前記連結部２２の先端面における傾斜枠の幅方向の中間位置には、一部を先端側に膨出して円形の貫通穴２２ａを備えている。貫通穴２２ａは、適宜のフック等に係止して吊り下げを可能にする大きさである。
【００２８】
連結部２２の先端面における貫通穴２２ａを挟む幅方向の両側部分には、袋Ｘの取っ手Ｘａを係止する係止構造２３を有する。この係止構造２３は、傾斜枠１２の先端方向に突出する棒状の係止突起２４からなり、係止突起２４の先端には係止突起２４の軸部分２４ａよりも大径で偏平な略球状をなす頭部２４ｂが形成されている。係止突起２４は、相互間に隙間をあけて両側にそれぞれ２本ずつ以上、つまり４本以上、図示例では４本ずつ合計８本形成されている。係止突起２４の長さは、前記貫通穴２２ａを有する部分と同一またはそれよりも先端側に突出する長さである。
【００２９】
連結部２２を支持する支持部２１の長手方向の中間部には、図３にも示したように、基端側の部分を幅方向の内側にずらす段違い部２５が形成されている。段違い部２５は、直角に曲がる２個の角部２５ａを、幅方向に延びるごく短い直線部２５ｂで連結した構成である。直線部２５ｂの長さは、段違い部２５ｂよりも先端側の部分を基端側に、段違い部２５よりも基端側の部分を先端側に延ばしたと仮定した場合に、重なることがなく、両者間に隙間ができるようにする長さである。
【００３０】
このような構造の傾斜枠１２は、２本の支持部２１の基端部を軸にして接地面に平行な水平状態から引き起こして前記傾斜状態にされる。
【００３１】
これら支持部２１の基端部２１ａ間に、これらを連結するとともに傾斜枠１２を傾斜状態にしたときに接地面に接地可能な接地板１４が、ヒンジ１５を介して一体に形成されている。
【００３２】
すなわち、支持部２１の基端部２１ａの端に、回転軸を傾斜枠１２の幅方向とするヒンジ１５を有し、このヒンジ１５の基端部側部分における傾斜枠１２の幅方向内側の端に、接地板１４の一端側の両端が連設されている。
【００３３】
ヒンジ１５は、縦断面Ｖ字状に形成されている。つまり薄肉部１５ａが厚み方向の下方に位置し、この薄肉部１５ａを傾斜面１５ｂが挟む構造である。
【００３４】
接地板１４は、傾斜枠１２の幅方向に対応する部分の長さが支持部２１の基部側の部分との間に僅かな隙間を有する程度で、傾斜枠１２の長手方向に対応する部分の長さが傾斜枠１２の支持部２１の段違い部２５よりも基端側の部分の長さと同程度の、平面視方形状である。つまり、この接地板１４は保持する袋Ｘの底を受ける大きさである。接地板１４の上面の全周には、上方に起立する壁部４１が形成されており、全体として皿状である。
【００３５】
接地板１４の壁部４１に囲まれた部分には、厚み方向に貫通する水抜き穴４２を有している。水抜き穴４２の形状と配置は、意匠性を考慮して決定するとよい。図示例では、ハート形と円形の水抜き穴４２を１個ずつ対にして、外に広がるように配置している。
【００３６】
接地板１４のヒンジを有する一端側とは反対の他端側の辺の中間位置には、側面視略Ｌ字形をなす係止部４３が連設されている。
【００３７】
この係止部４３は、傾斜枠１２を傾斜状態にしたときに傾斜枠１２の傾斜状態を支える支持枠１６の下部を係止する部分である。係止部４３の上端縁の幅方向の中間には、接地板１４の一端側に向かって突出する突片４３ａが備えられている。
【００３８】
前記支持枠１６は、間隔をあけて対向する棒状をなす２本の支持部６１の先端部を棒状の連結部６２で連結した枠状である。つまり、前記傾斜枠１２と同様で、支持枠１６は平面視略コ字状である。支持枠１６の縦断面形状は、Ｈ字形で剛性を高めるようにしている。
【００３９】
このような形状の支持枠１６の支持部６１の基端部６１ａは、前記段違い部２５における傾斜枠１２の先端側の面に、縦断面Ｖ字状のヒンジ１５を介して一体形成されている。形成は、支持枠１６の支持部６１と傾斜枠１２の支持部２１の段違い部２５よりも基端側の部分が一直線上に並ぶように行う。ヒンジ１５は傾斜枠１２と接地板１４との間のヒンジ１５と同様の構造である。
【００４０】
支持枠１６の連結部６２の長手方向の少なくとも中間位置には、リブ６３が形成され、剛性の更なる向上とともに、接地板１４の係止部４３に対する良好な係止状態が得られるようにされている。
【００４１】
前記段違い部２５における傾斜枠１２の基端側の面には、前記支持枠１６と同様にして前記開口補助枠１３が前記と同様に縦断面Ｖ字状のヒンジ１５を介して一体成形されている。
【００４２】
すなわち、開口補助枠１３も、間隔をあけて対向する棒状をなす２本の支持部３１の先端部を棒状の連結部３２で連結した、平面視略コ字状をなす枠状であり、縦断面形状はＨ字形である。そして開口補助枠１３の支持部３１の端部は、開口補助枠１３の支持部３１が傾斜枠１２の支持部２１の段違い部２５よりも先端側の部分と一直線上に並ぶように連設されている。
【００４３】
開口補助枠１３の連結部３２には、傾斜枠１２の連結部２２に備えたのと同様に、係止構造３３（係止突起３４）と貫通穴３２ａが形成されている。これらの構成は傾斜枠１２の場合と同一であるので、詳しい説明を省略する。図中、３４ａは軸部分、３４ｂは頭部である。
【００４４】
前記傾斜枠１２と前記支持枠１６と前記開口補助枠１３の太さは同一である。これらと前記接地板１４が前述のように組んだ状態で一体成形されることによって、傾斜枠１２の段違い部２５よりも先端側の部分と開口補助枠１３で込まれた長方形枠状の部分の内側に、傾斜枠１２の段違い部２５よりも基端側の部分と支持枠１６が存在し、傾斜枠１２の段違い部２５より基端側の部分の間に接地板１４が存在する構造となる。
【００４５】
最も外周に位置する、傾斜枠１２における段違い部２５よりも先端側の部分と開口補助枠１３との間には、開口補助枠１３の傾斜枠１２に対する角度を保持する角度保持部１７が設けられている。この角度保持部１７は、突起部７１と、この突起部７１を係合する係合片７２で構成されている。
【００４６】
前記突起部７１は、傾斜枠１２における段違い部２５よりも先端側の部分の外周面で、外方に向けて突出している。前記係合片７２は、突起部７１を係合する係合穴７２ａを中央に有し、開口補助枠１３の外周面に、外方に向けて突出するようにヒンジ７３を介して一体成形されている。ヒンジ７３は薄肉部で構成され、開口補助枠１３の支持部３１の長手方向に沿って延びるように設けられている。このため係合片７２を開口補助枠１３に沿った状態に引き起こすことができる。
【００４７】
前記突起部７１を有するため、傾斜枠１２と開口補助枠１３の連結部２２，３２の両端部には、突起部７１の先端と面一になるように突出する突出部２２ｂ，３２ｂを有する。
【００４８】
以上のように構成された袋スタンド１１は、次のようにして使用される。  
まず、図１に示したように平らな、一枚の板状となっている袋スタンド１１の傾斜枠１２の先端側を引き起こす。この引き起こしによって支持枠１６がつられて移動するので、支持枠１６の先端側が下に向くように曲げる。このあと支持枠１６の下端、つまり連結部６２を接地板１４の係止部４３に係止して、傾斜枠１２を傾斜状態にする。
【００４９】
つぎに、傾斜枠１２の引き起こしに連動する開口補助枠１３の先端側を引き起こし、角度保持部１７を利用して、開口補助枠１３の引き起こし状態を保持する。
【００５０】
最後に、保持しようとする袋Ｘの上端開口部を開いて、その上端の取っ手Ｘａを係止構造２３，３３に係止する。具体的には袋Ｘの取っ手Ｘａを広げてその左右をそれぞれ複数本の係止突起２４，３４の間に挟み込むようにしてひっかける。袋Ｘに取っ手Ｘａがない場合には、袋Ｘの上端部を適宜ねじったりして係止突起２４，３４に固定する。接地板１４が安定して接地し、袋Ｘの良好な保持状態が得られる。
【００５１】
このようして保持された袋Ｘには、適宜の物品を収納する。袋Ｘの口を開いた状態にして両手で持たないと収納できない物品や、投げ入れるようにする物品、多くの細かな物品など、さまざまな物品を入れることができる。たとえば、スーパー等の買い物かごからレジ袋に商品を移す場合や、台所やダイニングでの調理や野外調理（バーベキュー）等において生じるごみを入れる場合などで好適に使用できる。
【００５２】
袋Ｘに収納された物品は、袋Ｘの底が接地面に接触するように長い場合であっても、直接接地面に接触することはなく、接地板１４が受けるので、緩衝効果があり、物品や袋Ｘ、接地面を損傷や棄損から保護できる。
【００５３】
この接地板１４には、壁部４１が形成されているので、水分を含んだものを入れた場合に水分等の拡散を抑制できるうえに、万が一、袋Ｘが破れた場合でも入れた物品の散らばりを抑えることができる。
【００５４】
また接地板１４には水抜き穴４２を備えているので、水を使う場所で使用する場合でも水がたまらずにすみ、水はけがよいので使いやすい。水抜き穴４２は、必要な成形材料を少なくして低コスト化に資するとともに、形状によっては意匠効果も発揮する。
【００５５】
袋Ｘをかけるときには、袋Ｘの大きさや袋Ｘの取っ手Ｘａの形態に関係なく適切にひっかけることができるので、利用できる袋Ｘの種類や大きさは広い。そのうえ、係止構造２３，３３は突出する棒状の係止突起２４，３４で構成されているので、取っ手Ｘａは上下方向に移動させるだけでよく、着脱作業は容易である。そのうえ、頭部２４ｂ，３４ｂを有するので、不測に外れるおそれはない。
【００５６】
使用後に不要となった場合には、袋スタンド１１の角度保持部１７を外して変形すれば、元の平らな板状になるので、持ち運びに便利であるとともに、通常はごみ箱がない場所などで使用したりするのに好都合である。
【００５７】
平らになったときには、貫通穴２２ａ，３２ａを利用すると、吊り下げて保管することもできるので、便利である。
【００５８】
また、袋スタンド１１は角度保持部１７を含めてすべての部分が合成樹脂で一体成形できるので、製造に際して組み立て作業は不要で、製造コストを抑えることができる。角度保持部１７まで一体であるので、使用に際しての変形において部材の紛失のおそれはなく、変形作業も容易である。
【００５９】
しかも傾斜枠１２の支持部２１には、段違い部２５を備えて、この段違い部２５を利用して支持枠１６や開口補助枠１３を連設しているので、幅方向の長大化を抑制できる。この結果、形状はコンパクトで、無駄のないものとなり、成形に際しての取り数を多くでき、この点からもコストの低減を図れる。
【００６０】
このような効果は、傾斜枠１２を傾斜状態に支持する支持枠１６の角度を保持する構造を接地板１４の他端側に設けたことによっても得られる。すなわち、支持枠１６の角度を保持する構造は、開口補助枠１３の角度を保持する角度保持部と同様に構成することもできるが、そのようにする場合には、幅方向の大きさが長大化したり、接地板１４を切り欠く必要が生じたりして無駄ができるが、このような不都合を回避しつつ、より簡易な変形を実現できる利点がある。
【００６１】
また板状である袋スタンド１１は、上下の面から大きく突出する部分がなく、積み重ねや収納が嵩張らないで行える。
【００６２】
そのうえ傾斜枠１２を傾斜状態にした使用時の形態であっても、傾斜枠１２と開口補助枠１３の係止突起２４，３４を貫通穴２２ａ，３２ａよりも突出させ、傾斜枠１２と開口補助枠１３の連結部２２，３２の長手方向の両端部に角度保持部１７の突起部７１と同じ突出となる突出部２２ｂ，３２ｂを備えたので、袋スタンド１１は、通常の姿勢のほか、倒立した姿勢であっても、横に倒れた姿勢であっても接地状態は安定する。このため取扱いやすい。
【００６３】
以下、その他の例を説明する。この説明において、前記の構成と同一又は同等の部位については同一の符号を付してその詳しい説明を省略する。
【００６４】
図４は傾斜枠１２と開口補助枠１３に形成する係止構造２３，３３の他の例を示している。図４（ａ）の係止構造２３，３３は、基端部に湾曲部分を有する弾性変位可能な片持ち状の係止片２６，３６からなるものである。係止片２６，３６は基部が連結部２２，３２における外側面の長手方向の一方側に設けられ、基部より先の部分が他方側に延びている。
【００６５】
図４（ｂ）の係止構造２３，３３は、図４（ａ）と同様の係止片２６，３６を左右に一対設けたものである。図４（ｃ）の係止構造２３，３３は、連結部２２，３２における内側面に設けられたものであり、長手方向の中間部に形成された長方形をなす突出部分２２ｃ，３２ｃの長手方向の両端から係止片２６，３６を片持ち状に連設した構造である。いずれの係止構造２３，３３でも袋Ｘの形状に応じて適宜保持できる。
【００６６】
図５は、角度保持部１７の他の例を示す平面図である。この角度保持部１７は、角度が調節可能である。すなわち、係合片７２の係合穴７２ａが、円弧状に長く形成され、突起部７１の係合位置を段階的に変更できるように凹凸を有している。
【００６７】
このような角度保持部１７とすることで、図６に示したように開口補助枠１３の傾きを変えることができるので、袋Ｘの開口の大きさを、必要に応じて適宜変えられる。
【００６８】
図７は接地板１４の水抜き穴４２をなくした例の袋スタンド１１を示している。水抜き穴４２を形成していない点のほかは前述の構成と同じである。
【００６９】
このように構成された袋スタンド１１では、水分を含んだごみ等を入れても、水がこぼれるのを抑制でき、周囲が濡れるのを防げる。このため、たとえば流し台のシンク以外の部分やテーブルの上などで使用したりするのに好適である。水抜きはできないが皿状であるので、洗浄は容易に行える。
【００７０】
以上はこの考案を実施するための一形態であって、この考案は前記の構成のみに限定されるものではなく、その他の形態を採用することができる。
【００７１】
たとえば、接地板１４は袋Ｘの底を支える皿状ではなく、細い板状であってもよい。材料の削減ができる利点がある。
【００７２】
接地板１４には、吸盤や磁石、重錘等を備えて、より一層安定した接地状態を得るようにすることができる。
【００７３】
角度保持部１７は、前記のように突起部７１と係合片７２で構成するほか、係合片７２と同様のものを双方に設けて構成することもできる。係合片７２同士の係脱構造は、突起を用いずに切り込み等のみで構成可能である。
【００７４】
傾斜枠１２の下端を支持する接地板１４の係止部４３は、支持枠１６を支持する角度を調節できるようにしてもよい。開口補助枠１３の角度調節に対応して角度を調節すれば、袋Ｘの開口部を平らにすることができる。
【符号の説明】
【００７５】
１１…袋スタンド
１２…傾斜枠
１３…開口補助枠
１４…接地板
１５…ヒンジ
１６…支持枠
１７…角度保持部
２１…支持部
２１ａ…基端部
２２…連結部
２２ａ…貫通穴
２４…係止突起
２５…段違い部
３１…支持部
３２…連結部
３２ａ…貫通穴
３４…係止突起
４１…壁部
４２…水抜き穴
６１…支持部
６２…連結部
７３…ヒンジ
Ｘ…袋
【図１】
0003184243.tif 000003
【図２】
0003184243.tif 000004
【図３】
0003184243.tif 000005
【図４】
0003184243.tif 000006
【図５】
0003184243.tif 000007
【図６】
0003184243.tif 000008
【図７】
0003184243.tif 000009